(57)【要約】【課題】イヤホンのインピーダンスによって、オーディオ信号の音量を自動的に調節することができるイヤホンのオーディオ出力制御回路を提供すること。【解決手段】本発明に係るイヤホンのオーディオ出力制御回路は、中央処理装置、デコーダー、アンプ及び検出回路を備える。前記中央処理装置は、前記オーディオ信号を前記デコーダーに伝送し、前記デコーダーは、前記オーディオ信号をデコードして、デコードされた後のオーディオ信号を前記アンプに伝送し、前記アンプは、前記デコードされた後のオーディオ信号を増幅し且つ増幅された後のオーディオ信号を前記イヤホンに出力し、また、前記中央処理装置は、前記検出回路を制御して前記イヤホンのインピーダンスを検出し、且つ検出結果に基づいて前記アンプの前記オーディオ信号に対する増幅量を変えることによって、前記イヤホンの音量を調節する。【選択図】図１
2015005986.tif 000002
【特許請求の範囲】
【請求項１】
イヤホンが出力するオーディオ信号の音量を調節するために用いられるイヤホンのオーディオ出力制御回路であって、
前記イヤホンのオーディオ出力制御回路は、順次に電気的に接続されている中央処理装置、デコーダー、アンプ及び検出回路を備え、
前記中央処理装置は、前記オーディオ信号を前記デコーダーに伝送し、
前記デコーダーは、前記オーディオ信号をデコードして、デコードされた後のオーディオ信号を前記アンプに伝送し、
前記アンプは、前記デコードされた後のオーディオ信号を増幅し且つ増幅された後のオーディオ信号を前記イヤホンに出力し、
前記検出回路は、検出抵抗及びスイッチを備え、
前記検出抵抗の一端は、電源に接続され、
前記検出抵抗の他端は、前記中央処理装置に接続されると共に、前記スイッチを介して前記アンプと前記イヤホンとの間に接続され、
前記中央処理装置は、前記検出回路を制御して前記イヤホンのインピーダンスを検出し、且つ検出結果に基づいて前記アンプの前記オーディオ信号に対する増幅量を変えることによって、前記イヤホンの音量を調節することを特徴とするイヤホンのオーディオ出力制御回路。
【請求項２】
前記スイッチは初期状態において閉状態にあり、
前記中央処理装置は、前記イヤホンが前記アンプに接続されたことを検出すると、前記検出回路を介して前記イヤホンのインピーダンスを取得し、
前記オーディオ信号を再生する前に、前記中央処理装置は前記スイッチを切断することを特徴とする請求項１に記載のイヤホンのオーディオ出力制御回路。
【請求項３】
前記イヤホンは、２つのスピーカーを備え、且つ左チャンネル及び右チャンネルを介して前記アンプに接続され、前記検出抵抗の他端は、前記左チャンネル及び前記右チャンネルの中の１つに接続され、
前記スイッチが閉状態にされると、前記検出抵抗は、１つのスピーカーに接続され且つ検出回路を形成し、前記中央処理装置は、前記スピーカーの電圧を取得し且つ取得した電圧に基づいて前記イヤホンのインピーダンスを取得することを特徴とする請求項１に記載のイヤホンのオーディオ出力制御回路。
【請求項４】
前記中央処理装置は、式Ｒｉｍｐ＝Ｖｉｍｐ×Ｒ／（Ｖｄ−Ｖｉｍｐ）によって前記スピーカーのインピーダンスを計算して取得し、上式中Ｖｉｍｐは前記スピーカーの電圧を表し、Ｒは前記検出抵抗のインピーダンスを表し、Ｖｄは前記電源の電圧を表し、Ｒｉｍｐは前記スピーカーのインピーダンスを表すことを特徴とする請求項３に記載のイヤホンのオーディオ出力制御回路。
【発明の詳細な説明】
【技術分野】
【０００１】
本発明は、イヤホンのオーディオ出力制御回路に関するものである。
【背景技術】
【０００２】
携帯電話機等の携帯式電子装置は、通常１６Ω又は３２Ωのイヤホンを採用する。イヤホンの出力は、一般的に規定された音圧（例えば、ＥＮ５０３３２−１）を超えることができず、規定された音圧に合う１６Ω及び３２Ωのイヤホンに対応する電圧は低い。従って、携帯式電子装置が高インピーダンスのイヤホンに接続された場合、イヤホンは駆動されないか、又はイヤホンが駆動されるとしても、イヤホンが出力するオーディオの音量はかなり小さくなってしまう。
【発明の概要】
【発明が解決しようとする課題】
【０００３】
上記の問題点に鑑みて、本発明は、イヤホンのインピーダンスによって、オーディオ信号の音量を自動的に調節することができるイヤホンのオーディオ出力制御回路を提供することを目的とする。
【課題を解決するための手段】
【０００４】
上記の課題を解決するために、本発明に係るイヤホンのオーディオ出力制御回路は、イヤホンが出力するオーディオ信号の音量を調節するために用いられる。前記イヤホンのオーディオ出力制御回路は、順次に電気的に接続されている中央処理装置、デコーダー、アンプ及び検出回路を備え、前記中央処理装置は、前記オーディオ信号を前記デコーダーに伝送し、前記デコーダーは、前記オーディオ信号をデコードして、デコードされた後のオーディオ信号を前記アンプに伝送し、前記アンプは、前記デコードされた後のオーディオ信号を増幅し且つ増幅された後のオーディオ信号を前記イヤホンに出力し、前記検出回路は、検出抵抗及びスイッチを備え、前記検出抵抗の一端は、電源に接続され、前記検出抵抗の他端は、前記中央処理装置に接続されると共に、前記スイッチを介して前記アンプと前記イヤホンとの間に接続され、また、前記中央処理装置は、前記検出回路を制御して前記イヤホンのインピーダンスを検出し、且つ検出結果に基づいて前記アンプの前記オーディオ信号に対する増幅量を変えることによって、前記イヤホンの音量を調節する。
【発明の効果】
【０００５】
本発明のイヤホンのオーディオ出力制御回路は、検出回路を利用してイヤホンのインピーダンスを検出し、且つイヤホンのインピーダンスに基づいてアンプのオーディオ信号に対する増幅量を変えることによって、イヤホンの音量を調節する。これにより、異なるインピーダンスを有するイヤホンは、それぞれ優れた音声効果を得ることができる。
【図面の簡単な説明】
【０００６】
【図１】本発明の実施形態に係るイヤホンのオーディオ出力制御回路の回路図である。
【発明を実施するための形態】
【０００７】
図１に示すように、本発明の実施形態に係るイヤホンのオーディオ出力制御回路１００は、携帯電話機等の携帯式電子装置に適用し、イヤホン２００に接続されて、イヤホン２００が出力したオーディオ信号の音量の大きさを制御する。
【０００８】
イヤホンのオーディオ出力制御回路１００は、中央処理装置（ＣＰＵ）１０と、デコーダー３０と、アンプ５０と、検出回路７０と、を備える。中央処理装置１０は、デコーダー３０、アンプ５０及び検出回路７０に同時に接続されている。デコーダー３０も、アンプ５０に接続されている。
【０００９】
中央処理装置１０は、携帯式電子装置の内部に格納されたオーディオ信号又は他の携帯式電子装置から受信したオーディオ信号をデコーダー３０に伝送する。デコーダー３０は、前記オーディオ信号をデコードした後にアンプ５０に伝送する。アンプ５０は、デコードされた後のオーディオ信号を増幅して、増幅された後のオーディオ信号をイヤホン２００に出力する。本実施形態において、イヤホン２００は、内蔵されている２つのスピーカー２０１を含む。アンプ５０は、左チャンネル５１及び右チャンネル５２を介して、２つのスピーカー２０１にそれぞれ接続されて、増幅された後のオーディオ信号を出力する。
【００１０】
検出回路７０は、検出抵抗Ｒｄ及びスイッチＳＷを含む。検出抵抗Ｒｄの一端は、電源Ｖｄに接続されている。検出抵抗Ｒｄの他端は、中央処理装置１０に接続されると共に、スイッチＳＷを介して左チャンネル５１に接続されている。初期状態において、スイッチＳＷは、閉状態（オン状態）にある。イヤホン２００の接続端子が携帯式電子装置の接続ポート内に挿入されると、検出抵抗Ｒｄは１つのスピーカー２０１に接続されて、検出回路を形成する。中央処理装置１０は、検出回路７０を介して前記１つのスピーカー２０１の電圧を検出し、さらに式Ｒｉｍｐ＝Ｖｉｍｐ×Ｒ／（Ｖｄ−Ｖｉｍｐ）によってスピーカー２０１のインピーダンスを計算して得る。上式中Ｖｉｍｐはスピーカー２０１の電圧を表し、Ｒは検出抵抗Ｒｄのインピーダンスを表し、Ｖｄは電源Ｖｄの電圧を表し、Ｒｉｍｐはスピーカー２０１のインピーダンスを表す。
【００１１】
一般的に、２つのスピーカー２０１のインピーダンスは同じである。従って、中央処理装置１０は、他の１つのスピーカー２０１のインピーダンスを取得して、イヤホン２００のインピーダンスを取得することができる。オーディオ信号を出力する前に、中央処理装置１０はスイッチＳＷを切断し、オーディオ信号の出力に影響を与えないようにする。また、検出回路７０がイヤホン２００のインピーダンスを検出する過程において、左チャンネル５１及び右チャンネル５２と２つのスピーカー２０１との接続を切断する必要がないので、イヤホン２００のオーディオ出力に対する影響は小さい。
【００１２】
上記の実施形態において、中央処理装置１０は、検出回路７０を介してイヤホン２００のインピーダンスを検出し、且つイヤホン２００のインピーダンスに基づいて、アンプ５０のオーディオ信号に対する増幅量を直接に変えることによって、イヤホン２００が出力したオーディオ信号の音量を調節する。又は、中央処理装置１０は、デコーダー３０が出力したデコードされた後のオーディオ信号の強度を制御することによって、イヤホン２００が出力するオーディオ信号の音量を調節する。
【符号の説明】
【００１３】
１０  中央処理装置
３０  デコーダー
５０  アンプ
５１  左チャンネル
５２  右チャンネル
７０  検出回路
１００  イヤホンのオーディオ出力制御回路
２００  イヤホン
２０１  スピーカー
【図１】
2015005986.tif 000003